(57)【要約】【課題】  ユーザーはスクリーンに投射された画像（ｂ）に対してキャプチャ領域を想定するが、実際はフレームバッファ３の画像（ａ）が取り込まれるため、解像度変換部５以降の設定によってはユーザーが期待していない画像が取り込まれる可能性がある。【解決手段】  画像キャプチャを実行する際には、前記解像度変換手段における各画素の入力と出力の大きさを略等しく設定する。【選択図】  図３
2006146049.tif 000002
【特許請求の範囲】
【請求項１】
フレームバッファに入力された画像をキャプチャし、不揮発性メモリに保存する画像キャプチャ手段と、解像度変換手段を備えた投射型表示装置であって、
前記画像キャプチャ手段において画像キャプチャを実行する際には、前記解像度変換手段における各画素の入力と出力の大きさの変更を禁止する禁止手段を有することを特徴とする投射型表示装置。
【請求項２】
前記解像度変換手段による拡大、縮小、台形補正、及び、アスペクト比変換処理の処理を禁止する禁止手段を有することを特徴とする請求項１の投射型表示装置。
【請求項３】
フレームバッファに入力された画像をキャプチャし、不揮発性メモリに保存する画像キャプチャ手段と、ＯＳＤ（オンスクリーンディスプレー）手段を備えた投射型表示装置であって、
前記画像キャプチャ手段において画像キャプチャを実行する際には、
前記ＯＳＤ手段において画像キャプチャ領域を表示することを特徴とする投射型表示装置。
【請求項４】
画像キャプチャ領域の大きさ、及び、位置を設定可能な画像キャプチャ領域変更手段を備えたことを特徴とする請求項１〜３の投射型表示装置。
【請求項５】
フレームバッファの後段にオンスクリーンディスプレー手段を備え、前記設定されたキャプチャ領域を前記オンスクリーンディスプレー手段にて表示していくことを特徴とする投射型表示装置。
【請求項６】
キャプチャ領域の縁より黒レベルまたは特定色を含まない最小の領域を検出する最小キャプチャ領域検出手段を備え、前記最小キャプチャ領域検出手段により検出された領域内の画像のみをキャプチャすることを特徴とする請求項４の投射型表示装置。
【発明の詳細な説明】
【技術分野】
【０００１】
本発明は液晶プロジェクタ装置、ＤＬＰ（Ｄｉｇｉｔａｌ  Ｌｉｇｈｔ  Ｐｒｏｃｅｓｓｉｎｇ）プロジェクタ装置等の投射型表示装置に関する。
【背景技術】
【０００２】
投射型表示装置には、ユーザーが好みの画像やロゴを不揮発性メモリに記録し、起動時や無信号時にその画像やロゴを読み出し、投射する技術が存在する。この技術に関して、図１を用いて説明する。
【０００３】
まず、構成について図１を用いて説明する。本構成図では投射型表示装置は、制御部１、映像信号入力部２、フレームバッファ３、キャプチャ画像メモリ部４、解像度変換部５、ＯＳＤ処理部６、ＯＳＤ画像メモリ部７、表示部８、映像入力端子９により構成されている。
【０００４】
制御部１は、ＲＯＭ（図では省略）に格納された各種プログラムに従い、投射型表示装置内の各部を制御する。映像信号入力部２は、映像入力端子９より入力された映像信号から同期信号を分離し制御部１に出力すると共に、制御部１によって設定されるサンプリング周波数、オフセット、ゲインに従い各画素の階調を決定する。フレームバッファ３では、映像信号入力部２から出力される映像信号、あるいは、キャプチャ画像メモリ部４に記憶されていた画像の展開が行われる。また、インターレース信号が入力されている場合にはここでプログレッシブ信号に変換される。キャプチャ画像メモリ部４は、不揮発性メモリであり、フレームバッファ画像のキャプチャ、及び、起動時や無信号時にフレームバッファ３への画像書き込みを行う。解像度変換部５は、制御部１によって設定される出力解像度データに従った領域の画素データをフレームバッファ３から読み出し、デジタルズーム処理や、台形補正処理、及び、アスペクト比変換処理を実行する。ＯＳＤ処理部６では、解像度変換部５より入力される映像信号に対し、制御部１によって設定される領域にＯＳＤ画像メモリ部７に記憶されていた画像を読み出し、重畳する。ＯＳＤ画像メモリ部７は、不揮発性メモリであり、メニュー等の画像を保存している。表示部８は、ＯＳＤ処理部６より入力される映像信号をスクリーンに投射する。
【０００５】
次に、画像キャプチャ動作について説明する。ユーザーはキャプチャしたい画像を映像入力端子９より入力し、ＯＳＤのメニューに誘導され画像キャプチャを開始する。そして、制御部１によりフレームバッファ３の画像をキャプチャ画像メモリ部４に記憶し完了する。
【特許文献１】特開平１０−３３３６５４号公報
【発明の開示】
【発明が解決しようとする課題】
【０００６】
従来では、取り込む領域は、全画面取り込む方法と規定の領域のみ取り込む方法とがあるが、それぞれ以下のような問題点があった。
【０００７】
第一に、図２に示すように、ユーザーはスクリーンに投射された画像（ｂ）に対してキャプチャ領域を想定するが、実際はフレームバッファ３の画像（ａ）が取り込まれるため、解像度変換部５以降の設定によってはユーザーが期待していない画像が取り込まれる可能性がある。
【０００８】
第二に、全画面取り込む方法では、キャプチャ画像メモリ部４には納まらない画像がフレームバッファ３に入力された場合、メニューによりキャプチャを禁止しなくてはならなかった。
【０００９】
第三に、規定の領域のみ取り込む方法では、領域の境界はフレームバッファ３に書き込む事によってユーザーに知らせていたが、その領域を変更しようとすると、境界線をフレームバッファ３に書き込んでしまっていたために入力画像を一度更新する必要があり、入力信号が動画であった場合の対応ができないため実施されていなかった。
【００１０】
第四に、図２のようなロゴをキャプチャしたい場合に、どちらの方法においても、キャプチャ領域内は背景のベタパターンも全て取り込んでしまうため、キャプチャ及び読み出しに必要以上の時間を費やしてしまっていた。
【課題を解決するための手段】
【００１１】
上記課題を解決させるため、請求項１記載の投射型表示装置では、フレームバッファに入力された画像をキャプチャし、不揮発性メモリに保存する画像キャプチャ手段と、解像度変換手段を備えた投射型表示装置であって、前記画像キャプチャ手段において画像キャプチャを実行する際には、前記解像度変換手段における各画素の入力と出力の比を１：１に設定することを特徴とする。
【００１２】
また、請求項２記載の投射型表示装置では、フレームバッファに入力された画像をキャプチャし、不揮発性メモリに保存する画像キャプチャ手段と、解像度変換手段を備えた投射型表示装置であって、前記画像キャプチャ手段において画像キャプチャを実行する際には、前記解像度変換手段による拡大、縮小、台形補正、及び、アスペクト比変換処理の一切を行わない状態にすることを特徴としている。
【００１３】
また、請求項３記載の投射型表示装置では、フレームバッファに入力された画像をキャプチャし、不揮発性メモリに保存する画像キャプチャ手段と、ＯＳＤ（オンスクリーンディスプレー）手段を備えた投射型表示装置であって、前記画像キャプチャ手段において画像キャプチャを実行する際には、前記ＯＳＤ手段において画像キャプチャ領域を表示することを特徴としている。
【００１４】
また、請求項４記載の投射型表示装置では、フレームバッファに入力された画像をキャプチャし、不揮発性メモリに保存する画像キャプチャ手段を備えた投射型表示装置であって、前記画像キャプチャ手段において画像キャプチャを実行する際に、画像キャプチャ領域の大きさ、及び、位置を自由に設定することができる画像キャプチャ領域変更手段を備えたことを特徴としている。
【００１５】
また、請求項５記載の投射型表示装置は、フレームバッファの後段にＯＳＤ（オンスクリーンディスプレー）手段を備えた、請求項４記載の投射型表示装置において、前記画像キャプチャ手段において画像キャプチャを実行する際に、前記画像キャプチャ領域変更手段が、ユーザーの操作に従い変更されたキャプチャ領域を随時前記ＯＳＤ手段にて表示していくことを特徴としている。
【００１６】
また、請求項６記載の投射型表示装置は、キャプチャ領域の縁より黒レベルまたは特定色を含まない最小の領域を検出する最小キャプチャ領域検出手段を備えた請求項４記載の投射型表示装置において、
前記画像キャプチャ手段において画像キャプチャを実行する際に、前記最小キャプチャ領域検出手段により検出された領域内の画像のみをキャプチャすることを特徴としている。
【発明の効果】
【００１７】
スクリーンに投射された画像と実際に取り込まれる画像を一致させることにより、ユーザーが誤った認識で画像を取り込んでしまうのを防止する効果がある。
【００１８】
また、前記解像度変換手段による拡大、縮小、台形補正、及び、アスペクト比変換処理の一切を行わない状態にすることにより、スクリーンに投射された画像と実際に取り込まれる画像が一致するため、ユーザーが誤った認識で画像を取り込んでしまうのを防止する効果がある。
【００１９】
また、ＯＳＤ（オンスクリーンディスプレー）手段を備えた投射型表示装置であれば、画像キャプチャ領域を表示することにより、フレームバッファに直接キャプチャ領域を書く手段に比べ処理時間を短縮できる効果がある。
【００２０】
また、画像キャプチャ手段において画像キャプチャを実行する際に、画像キャプチャ領域の大きさ、及び、位置を自由に設定することができる画像キャプチャ領域変更手段を備えたことにより、入力解像度によらず画像キャプチャを実行することができる効果がある。
【００２１】
また、前記画像キャプチャ手段において画像キャプチャを実行する際に、ユーザーの操作に従い変更されたキャプチャ領域を随時前記ＯＳＤ手段にて表示していくことにより、フレームバッファを更新させる必要なく、動画においても自在にキャプチャ領域を更新できる効果がある。
【００２２】
また、キャプチャ領域の縁より黒レベルまたは特定色を含まない最小の領域を検出する最小キャプチャ領域検出手段を備えることで、前記画像キャプチャ手段において画像キャプチャを実行する際に、前記最小キャプチャ領域検出手段により検出された領域内の画像のみをキャプチャすることにより、余分な領域を保存しないため、そのキャプチャ及び書き出し時間を短縮できる効果がある。
【発明を実施するための最良の形態】
【００２３】
以下、図を用いて本発明の実施例を説明する。
【実施例１】
【００２４】
本発明に係る投射型表示装置の第一の実施例を説明する。
【００２５】
本実施例の構成概念図は、従来方式から変更が無いため図１に示した通りとなる。
【００２６】
本実施例の動作例を図３に示す。まず、ユーザーのメニュー操作により画像キャプチャ準備モードに遷移する（詳細は省略）。すると、解像度変換部５に解像度変換（拡大、縮小、台形補正、及び、アスペクト比変換）解除信号Ｓ１が発行される。ここで、ユーザーが実行開始操作を行うと、フレームバッファ部３に画像キャプチャ実行信号Ｓ２が発行される。画像キャプチャ処理が完了すると、解像度変換部５に解像度変換設定信号Ｓ３が発行され、再び元の解像度変換状態に戻り終了となる。
【００２７】
以上のようにすることで、スクリーンに投射された画像と実際に取り込まれる画像が一致するため、ユーザーが誤った認識で画像を取り込んでしまうのを防止することができる。
【実施例２】
【００２８】
本発明に係る投射型表示装置の第二の実施例を説明する。
【００２９】
本実施例では図４に示す通り、キャプチャする領域の境界部分をＯＳＤ処理部６で表示している。
【００３０】
このため、境界部分のパターンを複雑にすることや、ブリンクさせることも高速に処理することができるため、ユーザーに境界部分をより分かりやすく伝えることができる。
【実施例３】
【００３１】
本発明に係る投射型表示装置の第三の実施例を説明する。
【００３２】
本実施例の動作例を図５、６に示す。まず、ユーザーのメニュー操作により画像キャプチャ準備モードに遷移する（詳細は省略）。ここでユーザーは、スクリーンに投射される画像、すなわち、ＯＳＤ処理部５の出力画像、図５のｆ１）及び図６のｆ２）を見ることにより、キャプチャする領域を図５のｅ１）で示される領域と、図６のｅ２）で示される領域から選択することができる。ユーザーが設定を操作するとＯＳＤ処理部６にはｅ１）領域設定信号Ｓ４、及び、ｅ２）領域設定信号Ｓ６がそれぞれ発行される。仮に、ｅ１）で示される領域が選択されている状態で画像キャプチャを実行する操作がなされると、フレームバッファ３に対し、ｅ１）で示される領域の画像キャプチャ実行信号Ｓ５が発行される。一方、ｅ２）で示される領域が選択されている状態で画像キャプチャを実行する操作がなされると、フレームバッファ３に対し、ｅ２）で示される領域の画像キャプチャ実行信号Ｓ７が発行される。
【００３３】
本実施例では、簡単のため、キャプチャ領域を２段階しか設定していないが、もっと多くしてもよい。
【００３４】
以上のように、キャプチャ領域を可変としたことにより、ユーザーは不必要な領域の画像をキャプチャする必要がなくなり、画像キャプチャにかかる時間及び、キャプチャした画像をフレームバッファ３に展開するのにかかる時間が短縮できる。
【実施例４】
【００３５】
本発明に係る投射型表示装置の第四の実施例を説明する。
【００３６】
本実施例の動作概要を図７〜９に示す。図７で示される画像に対して画像キャプチャが実行されると、フレームバッファ３では、まず、キャプチャ領域の上辺より黒レベル判定を開始する。ライン内に黒レベル以外のレベルが検知されるまで、順々に検索していく。検知されたラインの１ライン上まではキャプチャする必要のない領域、すなわち、不要領域と判定する。同様に、下辺、左辺、右辺においても検索し、それぞれの不要領域の判定を行う。判定終了後、残った領域の画像をキャプチャする。
【００３７】
本実施例では、黒レベルとしているが、他のレベルを指定してもよい。その場合、キャプチャした画像を表示するときの領域外背景色に前記指定色を設定すればよい。
【００３８】
以上のように、不要領域をキャプチャしないことにより、画像キャプチャにかかる時間及び、キャプチャした画像をフレームバッファ３に展開するのにかかる時間が短縮できる。
【図面の簡単な説明】
【００３９】
【図１】従来、及び、本発明の実施形態例のブロック図
【図２】従来の画像キャプチャ時の入出力画像のイメージ図
【図３】本発明実施形態１の画像キャプチャ時における入出力画像のイメージ図
【図４】本発明実施形態２の画像キャプチャ時におけるＯＳＤ表示例
【図５】本発明実施形態３の画像キャプチャ時における入出力及び、キャプチャ画像のイメージ図１
【図６】本発明実施形態３の画像キャプチャ時における入出力及び、キャプチャ画像のイメージ図２
【図７】本発明実施形態４における入力画像
【図８】本発明実施形態４の画像キャプチャ時における不要領域判定図
【図９】本発明実施形態４におけるキャプチャ画像
【符号の説明】
【００４０】
１  制御部
２  映像信号入力部
３  フレームバッファ
４  キャプチャ画像メモリ部
５  解像度変換部
６  ＯＳＤ処理部
７  ＯＳＤ画像メモリ部
８  表示部
９  映像入力端子
Ｓ１  解像度変換（拡大、縮小、台形補正、及び、アスペクト比変換）解除信号
Ｓ２  画像キャプチャ実行信号
Ｓ３  解像度変換設定信号
Ｓ４  ｅ１）領域設定信号
Ｓ５  ｅ１）で示される領域の画像キャプチャ実行信号
Ｓ６  ｅ２）領域設定信号
Ｓ７  ｅ２）で示される領域の画像キャプチャ実行信号
【図１】
2006146049.tif 000003
【図２】
2006146049.tif 000004
【図３】
2006146049.tif 000005
【図４】
2006146049.tif 000006
【図５】
2006146049.tif 000007
【図６】
2006146049.tif 000008
【図７】
2006146049.tif 000009
【図８】
2006146049.tif 000010
【図９】
2006146049.tif 000011